(57)【要約】【課題】ユーザーの利便性を向上させることのできる制御装置を提供する。【解決手段】制御装置１００は、印刷対象ファイル１２４に対して、画像形成時のサイズが閾値未満である小サイズ文字を検出する検出処理を実行するための検出部１３と、検出結果に応じて、画像形成される文字が小さい旨の通知を行なうか否かを判定するための判定部１４と、判定結果に応じて通知を行なうための通知部１５とを備える。判定部１４は、小サイズ文字が検出された場合に、小サイズ文字で示される対象情報と同じ情報を印刷対象ファイル１２４から検索する。判定部１４は、対象情報と同じ情報が印刷対象ファイル１２４に存在し、かつ、対象情報と同じ情報を示す文字の画像形成時のサイズが閾値以上であるときに、通知を行なわないと判定する。【選択図】図４
2020197958.tif 000002
【特許請求の範囲】
【請求項１】
画像形成装置を制御する制御装置であって、
対象ファイルに対して、画像形成時のサイズが予め設定された閾値未満である小サイズ文字を検出する検出処理を実行するための検出部と、
前記検出部の検出結果に応じて、画像形成される文字が小さい旨の通知を行なうか否かを判定するための判定部と、
前記判定部の判定結果に応じて前記通知を行なうための通知部とを備え、
前記判定部は、
前記小サイズ文字が検出された場合に、前記小サイズ文字で示される対象情報と同じ情報を前記対象ファイルから検索し、
前記対象情報と同じ情報が前記対象ファイルに存在し、かつ、前記対象情報と同じ情報を示す文字の画像形成時のサイズが前記閾値以上であるときに、前記通知を行なわないと判定する、制御装置。
【請求項２】
前記閾値を設定するための閾値設定部をさらに備え、
前記判定部は、
前記対象情報と同じ情報が前記対象ファイルに存在しないときに前記通知を行なうと判定し、
前記対象情報と同じ情報が前記対象ファイルに存在し、かつ、前記対象情報と同じ情報を示す文字のサイズが前記閾値未満であるときに、前記通知を行なうと判定し、
前記閾値設定部は、前記通知が行なわれた後に画像形成を継続する旨の指示を受けたことに応じて、前記閾値を前記小サイズ文字のサイズに更新する、請求項１に記載の制御装置。
【請求項３】
前記判定部は、
前記小サイズ文字によって構成される文字列を複数の分割単位に分割し、
前記複数の分割単位の各々について、当該分割単位と同じ文字列を前記対象ファイルから検索し、検索結果に応じて、前記対象情報と同じ情報が前記対象ファイルに存在するか否かを決定する、請求項１または２に記載の制御装置。
【請求項４】
前記判定部は、前記複数の分割単位のうち所定比率以上の分割単位と同じ文字列が前記対象ファイルに存在する場合に、前記対象情報と同じ情報が前記対象ファイルに存在すると決定する、請求項３に記載の制御装置。
【請求項５】
前記分割単位は、区切り記号で区切られた単位、または、文節である、請求項３または４に記載の制御装置。
【請求項６】
前記対象ファイルは、画像データを含み、
前記検出部は、
前記画像データで示される画像から文字領域を分離し、前記文字領域に対して文字認識を行なうことにより文字を抽出し、
前記文字領域のサイズに基づいて、前記画像から抽出された文字のサイズが前記閾値未満であるか否かを判定する、請求項１または２に記載の制御装置。
【請求項７】
前記検出部は、前記対象ファイルのうちの一部の領域に対してのみ前記検出処理を実行する、請求項１から６のいずれか１項に記載の制御装置。
【請求項８】
前記一部の領域は、前記対象ファイルの先頭ページから所定ページ数分の領域である、請求項７に記載の制御装置。
【請求項９】
前記対象ファイルは、複数のセクションを含み、
前記一部の領域は、前記複数のセクションの各々の先頭ページから所定ページ数分の領域である、請求項７に記載の制御装置。
【請求項１０】
画像形成時の拡大縮小条件を設定する条件設定部をさらに備え、
前記画像形成時のサイズは、前記拡大縮小条件に従って拡大縮小されたときの文字のサイズである、請求項１から９のいずれか１項に記載の制御装置。
【請求項１１】
前記対象ファイルは、グラフデータを含み、
前記グラフデータで示されるグラフ内に前記小サイズ文字が検出された場合、前記判定部は、
前記グラフに対応する表を前記対象ファイルから検索し、
前記表が前記対象ファイルに存在するときに、前記対象情報と同じ情報が前記対象ファイルに存在すると決定する、請求項１または２に記載の制御装置。
【請求項１２】
請求項１から１１のいずれか１項に記載の制御装置を備える、画像形成装置。
【請求項１３】
画像形成装置を制御する制御装置の制御方法であって、
対象ファイルの中から、画像形成時のサイズが予め設定された閾値未満である小サイズ文字を検出するステップと、
検出結果に応じて、画像形成される文字サイズが小さい旨の通知を行なうか否かを判定するステップと、
判定結果に応じて、前記通知を行なうステップとを備え、
前記判定するステップは、
前記小サイズ文字が検出された場合に、前記小サイズ文字で示される対象情報と同じ情報を前記対象ファイルから検索するステップと、
前記対象情報と同じ情報が前記対象ファイルに存在し、かつ、前記対象情報と同じ情報を示す文字の画像形成時のサイズが前記閾値以上であるときに、前記通知を行なわないと決定するステップとを含む、制御方法。
【請求項１４】
請求項１３に記載の制御方法をコンピューターに実行させるための制御プログラム。
【発明の詳細な説明】
【技術分野】
【０００１】
本発明は、制御装置、画像形成装置、制御方法および制御プログラムに関する。
【背景技術】
【０００２】
特開２００３−１５０３３９号公報（特許文献１）には、印刷データ中の最小文字サイズが所定サイズ未満の場合に、印刷を中止するか開始するかを選択させる選択画面を表示する印刷制御装置が開示されている。特開２０００−１４８４２９号公報（特許文献２）にも同様の技術が開示されている。
【先行技術文献】
【特許文献】
【０００３】
【特許文献１】特開２００３−１５０３３９号公報
【特許文献２】特開２０００−１４８４２９号公報
【発明の概要】
【発明が解決しようとする課題】
【０００４】
ある場面において、ユーザーは、意図的にサイズの小さい文字を使用する。例えば、表紙に本文を要約して記載するときに、ユーザーは、記載したい情報の全てを表紙の所定箇所に記載するために、文字のサイズを小さくする。表紙の当該所定箇所に記載された文字が小さいために読みにくくなるが、本文中に同じ情報が通常のサイズの文字で記載されているため、大きな問題はない。
【０００５】
ところが、特許文献１に記載の印刷制御装置では、このように意図的にサイズの小さい文字が使用されている場合であっても、印刷を中止するか開始するかを選択させる選択画面が表示される。そのため、ユーザーは、印刷を中止するか開始するかの指示を入力する手間をかける必要がある。その結果、ユーザーの利便性が低下する。
【０００６】
本開示は上述のような問題点を解決するためになされたものであって、その目的は、ユーザーの利便性を向上させることのできる制御装置、画像形成装置、制御方法および制御プログラムを提供することである。
【課題を解決するための手段】
【０００７】
ある局面に従うと、画像形成装置を制御する制御装置は、検出部と、判定部と、通知部とを備える。検出部は、対象ファイルに対して、画像形成時のサイズが予め設定された閾値未満である小サイズ文字を検出する検出処理を実行する。判定部は、検出部の検出結果に応じて、画像形成される文字が小さい旨の通知を行なうか否かを判定する。通知部は、判定部の判定結果に応じて通知を行なう。判定部は、小サイズ文字が検出された場合に、小サイズ文字で示される対象情報と同じ情報を対象ファイルから検索し、対象情報と同じ情報が対象ファイルに存在し、かつ、対象情報と同じ情報を示す文字の画像形成時のサイズが閾値以上であるときに、通知を行なわないと判定する。
【０００８】
ある局面に従うと、画像形成装置は、上記の制御装置を備える。
ある局面に従うと、画像形成装置を制御する制御装置の制御方法は、第１〜第３のステップを備える。第１のステップは、対象ファイルの中から、画像形成時のサイズが予め設定された閾値未満である小サイズ文字を検出するステップである。第２のステップは、検出結果に応じて、画像形成される文字サイズが小さい旨の通知を行なうか否かを判定するステップである。第３のステップは、判定結果に応じて、通知を行なうステップである。第２のステップは、小サイズ文字が検出された場合に、小サイズ文字で示される対象情報と同じ情報を対象ファイルから検索するステップと、対象情報と同じ情報が対象ファイルに存在し、かつ、対象情報と同じ情報を示す文字の画像形成時のサイズが閾値以上であるときに、通知を行なわないと決定するステップとを含む。
【０００９】
ある局面に従うと、制御プログラムは、上記の制御方法をコンピューターに実行させる。
【発明の効果】
【００１０】
本開示によれば、ユーザーの利便性を向上させることができる。
【図面の簡単な説明】
【００１１】
【図１】本実施の形態に係るネットワークシステムの全体的な構成の例を示す図である。
【図２】実施の形態に係る制御装置のハードウェア構成の一例を示すブロック図である。
【図３】実施の形態に係る画像形成装置のハードウェア構成の一例を示すブロック図である。
【図４】実施の形態に係る制御装置の機能構成の一例を示すブロック図である。
【図５】第１の検索手法を説明する図である。
【図６】第２の検索手法を説明する図である。
【図７】第３の検索手法を説明する図である。
【図８】制御装置における制御処理の流れの一例を示すフローチャートである。
【図９】図８のステップＳ６のサブルーチンの流れを示すフローチャートである。
【発明を実施するための形態】
【００１２】
本発明の実施の形態について、図面を参照しながら詳細に説明する。なお、図中の同一または相当部分については、同一符号を付してその説明は繰返さない。以下で説明される実施の形態および変形例は、適宜選択的に組み合わされてもよい。
【００１３】
［画像形成システムの構成］
図１は、本実施の形態に係るネットワークシステムの全体的な構成の例を示す図である。図１に示すように、ネットワークシステム１は、制御装置１００および画像形成装置２００によって構成される。制御装置１００と画像形成装置２００とは、ネットワーク３００を介して接続されている。制御装置１００および画像形成装置２００の台数は、特に限定されず、１または複数である。
【００１４】
制御装置１００と画像形成装置２００とはネットワーク３００を介して互いにデータの授受が可能なように接続されている。制御装置１００は、各種のアプリケーションで作成された印刷対象ファイルを印刷用のラスターデータに変換することにより印刷ジョブデータを生成し、生成した印刷ジョブデータを画像形成装置２００に送信する。画像形成装置２００は、制御装置１００から送信された印刷ジョブデータを受信して印刷処理を実行する。
【００１５】
制御装置１００は、例えば汎用のパーソナルコンピュータで構成される。画像形成装置２００は、一般に複合機またはＭＦＰ（Multi Function Peripherals）などと呼ばれる装置であって、コピー、ネットワークプリンティング（ＰＣプリント）、ファックス、およびスキャナーなどの機能を集約した装置である。ネットワーク３００は、例えば、ＬＡＮ（Local Area Network）、公衆回線、またはインターネットなどである。
【００１６】
［ハードウェア構成］
（制御装置１００）
図２は、実施の形態に係る制御装置１００のハードウェア構成の一例を示すブロック図である。制御装置１００は、プロセッサー１０２と、ＲＯＭ（Read Only Memory）１０４と、ＲＡＭ（Random Access Memory）１０６と、記憶装置１０８と、ディスプレイ１１０と、入力部１１２と、通信インターフェイス（Ｉ／Ｆ）１１４と、リーダー／ライター１１６とを有する。
【００１７】
ＲＯＭ１０４は、制御プログラム１２０および文書作成プログラム１２２を記憶している。ある局面において、制御プログラム１２０および文書作成プログラム１２２は、ネットワークを介してサーバーからダウンロードされ得る。他の局面において、制御プログラム１２０および文書作成プログラム１２２は、ＵＳＢ（Universal Serial Bus）メモリ等の記録媒体からＲＯＭ１０４に格納され得る。
【００１８】
プロセッサー１０２は、ＣＰＵ（Central Processing Unit）およびＭＰＵ（Micro Processing Unit）などのハードウェアプロセッサーである。プロセッサー１０２は、プリンタドライバとも称される制御プログラム１２０を読み込んで実行することにより、画像形成装置２００と連携する。また、プロセッサー１０２は、文書作成プログラム１２２を読み込んで実行することにより、文書ファイルである印刷対象ファイル１２４を作成する。文書作成プログラム１２２として、例えばマイクロソフト社製のＭｉｃｒｏｓｏｆｔ  Ｗｏｒｄ（登録商標）が用いられる。
【００１９】
制御プログラム１２０は、単体のプログラムとしてではなく、モジュールとしての任意のプログラムの一部に組み込まれて提供されてもよい。この場合、本実施の形態に従う制御処理は、任意のプログラムと協働して実現される。このような一部のモジュールを含まないプログラムであっても、本実施の形態に従う制御プログラム１２０の趣旨を逸脱するものではない。
【００２０】
ＲＡＭ１０６は、プロセッサー１０２が各種プログラムを実行する際のワーキングメモリとして機能する。
【００２１】
記憶装置１０８は、不揮発性メモリによって構成される。記憶装置１０８は、文書作成プログラム１２２の実行によって作成された印刷対象ファイル１２４と、閾値データ１２６とを記憶している。
【００２２】
ディスプレイ１１０は、例えば液晶ディスプレイであり、各種の情報を表示する。入力部１１２は、キーボード、マウス、タッチパネルなどによって構成され、ユーザーが情報の入力を行なうために用いられる。通信Ｉ／Ｆ１１４は、ネットワーク３００に接続するためのインターフェイスとして機能する。制御装置１００は、通信Ｉ／Ｆ１１４を用いて画像形成装置２００と通信する。
【００２３】
リーダー／ライター１１６は、プロセッサー１０２と記録媒体１１８との間のデータ伝送を仲介する。すなわち、記録媒体１１８には、制御装置１００で実行されるプログラムなどが格納された状態で流通し、リーダー／ライター１１６は、記録媒体１１８からプログラムを読出す。記録媒体１１８は、例えば、ＵＳＢメモリやＳＤ（Secure Digital）などの汎用的な半導体記憶デバイス、フレキシブルディスク（Flexible Disk）などの磁気記憶媒体、ＣＤ−ＲＯＭ（Compact Disk Read Only Memory）などの光学記憶媒体などである。
【００２４】
（画像形成装置２００）
図３は、実施の形態に係る画像形成装置のハードウェア構成の一例を示すブロック図である。図３に示されるように、画像形成装置２００は、スキャナー装置２０と、表示装置２１と、画像処理装置２２と、印刷装置２３と、ネットワークインターフェイス２４と、記録媒体インターフェイス２５と、制御部２６とを備える。これらのブロックは、バス２７を通じて互いに接続されている。
【００２５】
スキャナー装置２０は、原稿載置台２０ａと読取部２０ｂとを含む。読取部２０ｂは、原稿載置台２０ａの上に載置されている原稿の画像を読み取り、読み取った画像のデータを画像処理装置２２などに送信する。
【００２６】
表示装置２１は、タッチパネル式の操作パネル２１ａを含んでいる。操作パネル２１ａは、操作画面などの各種情報を表示し、ユーザーによるタッチ操作を受け付ける。
【００２７】
画像処理装置２２は、画像編集部２２ａと、画像記憶部２２ｂとを含んでいる。画像編集部２２ａは、ユーザーのにより行われた印刷の設定などに基づいて、読取部２０ｂで読み取った画像のデータを編集する。画像記憶部２２ｂは、例えばハードディスク装置であり、読取部２０ｂで読み取った画像のデータや、画像編集部２２ａで編集された画像のデータなどの各種情報を一時的に記憶する。
【００２８】
印刷装置２３は、印刷部２３ａと、給紙カセット２３ｂと、ステープル部２３ｃとを含んでいる。印刷部２３ａは、ネットワークインターフェイス２４が制御装置１００から受けた印刷ジョブデータで示される画像または画像編集部２２ａで編集された画像を、給紙カセット２３ｂに格納されている用紙に印刷する。ステープル部２３ｃは、印刷部２３ａで印刷された用紙に対して、ステープルなどの後処理を施す。
【００２９】
ネットワークインターフェイス２４は、画像形成装置２００をネットワーク３００に接続するためのインターフェイスであり、例えば有線のＬＡＮや無線ＬＡＮ等である。ネットワークインターフェイス２４は、ネットワーク３００を介して制御装置１００と接続され、制御装置１００から印刷ジョブデータを受信したり、制御装置１００へ読取部２０ｂで読み取った画像を送信したりすることができる。
【００３０】
記録媒体インターフェイス２５は、例えば、ＳＤやＵＳＢメモリなどの汎用的な半導体記憶デバイスとの間でデータの授受を行なう。
【００３１】
制御部２６は、ＣＰＵ２６ａと、ＲＯＭ２６ｂと、ＲＡＭ２６ｃとを含んでいる。ＣＰＵ２６ａは、画像形成装置２００の各部の動作を総括的に制御する。ＲＯＭ２６ｂは、画像形成装置２００の動作を制御するプログラムを格納する。ＲＡＭ２６ｃはＣＰＵ２６ａの作業用のメモリである。
【００３２】
［制御装置の機能構成］
図４は、実施の形態に係る制御装置の機能構成の一例を示すブロック図である。図４に示されるように、制御装置１００は、条件設定部１１と、印刷ジョブ生成部１２と、検出部１３と、判定部１４と、通知部１５と、閾値設定部１６とを備える。条件設定部１１と、印刷ジョブ生成部１２と、検出部１３と、判定部１４と、通知部１５と、閾値設定部１６とは、図２に示すプロセッサー１０２が制御プログラム１２０を実行することにより実現される。
【００３３】
条件設定部１１は、印刷対象ファイル１２４で示される画像の形成（印刷）を画像形成装置２００で行なうときの印刷条件を設定する。条件設定部１１は、印刷条件を設定するための設定画面をディスプレイ１１０（図２参照）に表示させ、入力部１１２に入力された情報に従って印刷条件を設定する。印刷条件には、印刷部数、両面印刷条件などの基本条件の他に、拡大縮小条件が含まれる。拡大縮小条件には、変倍率、出力用紙サイズ、割り付け印刷条件（Ｎｉｎ１印刷条件）などが含まれる。割り付け印刷とは、用紙の１つの面に複数のページ分を印刷することである。
【００３４】
印刷ジョブ生成部１２は、印刷指示を受けた印刷対象ファイル１２４に対応する印刷ジョブデータ（印刷用のラスターデータ）を生成し、生成した印刷ジョブデータを画像形成装置２００に出力する。
【００３５】
印刷ジョブ生成部１２は、条件設定部１１によって設定された印刷条件に従ってラスターデータを生成する。例えば、変倍率が設定された場合、印刷ジョブ生成部１２は、印刷対象ファイル１２４で示される画像を変倍率に従って拡大縮小して、ラスターデータを生成する。設定された出力用紙サイズと印刷対象ファイル１２４で設定されている用紙サイズとが異なる場合、印刷ジョブ生成部１２は、印刷対象ファイル１２４で示される画像を出力用紙サイズに適合するサイズに拡大縮小して、ラスターデータを生成する。割り付け印刷条件が設定された場合、印刷ジョブ生成部１２は、印刷対象ファイル１２４で示される各ページの画像を割り付け印刷条件に応じた倍率で縮小して、ラスターデータを生成する。
【００３６】
検出部１３は、印刷対象ファイル１２４に対して、画像形成装置２００における画像形成時（印刷時）のサイズが閾値データ１２６で示される閾値未満である小サイズ文字を検出する検出処理を実行する。
【００３７】
検出部１３は、印刷対象ファイル１２４の全体に対して検出処理を実行してもよいし、印刷対象ファイル１２４のうちの一部の領域に対してのみ検出処理を実行してもよい。一部の領域に対してのみ検出処理を実行することにより、検出部１３の処理の負荷を低減できる。
【００３８】
検出部１３は、印刷対象ファイル１２４から文字を抽出し、抽出した文字の印刷時のサイズと閾値とを比較することにより、小サイズ文字を検出する。
【００３９】
本実施の形態に係る印刷対象ファイル１２４は、文書作成プログラム１２２によって作成され、テキストデータと属性データとを含む。属性データは、テキストデータで示される各文字のフォント、スタイル、色、サイズなどを示すデータである。検出部１３は、テキストデータから文字を抽出し、各文字について設定されたサイズを確認することにより、抽出した文字の印刷時のサイズを特定する。
【００４０】
印刷対象ファイル１２４にはテキストデータの他に画像データを含み得る。印刷対象ファイル１２４に画像データが含まれる場合、検出部１３は、画像データで示される画像から文字領域を分離し、文字領域に対して文字認識を行なうことにより文字を抽出する。画像から文字を抽出する方法としては、公知のＯＣＲ（Optical Character Recognition）を用いればよい。検出部１３は、画像が分離された文字領域のサイズに基づいて、文字領域から抽出された文字のサイズを特定する。
【００４１】
印刷対象ファイル１２４にはテキストデータの他にグラフデータを含み得る。印刷対象ファイル１２４にグラフデータが含まれる場合、検出部１３は、グラフデータで示されるグラフ内の文字を抽出する。グラフデータには、グラフタイトル、軸ラベル、目盛ラベル、凡例、データラベルなどの項目のデータが含まれる。グラフ内の文字は、これらの項目を示す。さらに、グラフデータには、各項目の文字のフォント、スタイル、色、サイズなどを示すデータが含まれる。検出部１３は、グラフデータから各項目の文字を抽出し、各文字について設定されたサイズを確認することにより、抽出した文字の印刷時のサイズを特定する。
【００４２】
なお、条件設定部１１によって拡大縮小条件が設定されている場合、印刷時（画像形成時）のサイズは、拡大縮小条件に従って拡大縮小されたときの文字のサイズである。検出部１３は、条件設定部１１によって設定された拡大縮小条件に対応する倍率に従って、印刷対象ファイル１２４から抽出した文字のサイズを変更し、変更後のサイズと閾値とを比較すればよい。
【００４３】
判定部１４は、検出部１３の検出結果に応じて、画像形成される文字が小さい旨の通知を行なうか否かを判定する。
【００４４】
従来と同様に、検出部１３によって小サイズ文字が検出された場合に一律に、画像形成される文字が小さい旨の通知を行なうことが考えられる。しかしながら、この場合、意図的にサイズの小さい文字が使用されている場合であっても、画像形成される文字が小さい旨の通知が行なわれてしまう。そこで、本実施の形態に係る判定部１４は、以下のような判定処理を行なう。
【００４５】
判定部１４は、検出部１３によって小サイズ文字が検出されなかった場合に、画像形成される文字が小さい旨の通知を行なわないと判定する。
【００４６】
判定部１４は、検出部１３によって小サイズ文字が検出された場合に、小サイズ文字で示される対象情報と同じ情報を印刷対象ファイル１２４から検索する。対象情報と同じ情報を印刷対象ファイル１２４から検索する手法の詳細については後述する。
【００４７】
判定部１４は、対象情報と同じ情報が印刷対象ファイル１２４に存在しないときに、画像形成される文字が小さい旨の通知を行なうと判定する。判定部１４は、対象情報と同じ情報が印刷対象ファイル１２４に存在し、かつ、対象情報と同じ情報を示す文字のサイズが閾値未満であるときも、画像形成される文字が小さい旨の通知を行なうと判定する。
【００４８】
判定部１４は、対象情報と同じ情報が印刷対象ファイル１２４に存在し、かつ、対象情報と同じ情報を示す文字の印刷時のサイズが閾値以上であるときに、画像形成される文字が小さい旨の通知を行なわないと判定する。
【００４９】
通知部１５は、判定部１４の判定結果に応じて、画像形成される文字が小さい旨の通知を行なう。具体的には、通知部１５は、判定部１４によって通知を行なうと判定された場合に、通知画面をディスプレイ１１０（図２参照）に表示させる。当該通知画面には、印刷をキャンセルするためのボタンと、印刷を継続するためのボタンとが含まれる。
【００５０】
なお、印刷ジョブ生成部１２は、判定部１４によって通知を行なわないと判定されたことに応じて、印刷ジョブデータの生成を開始する。また、印刷ジョブ生成部１２は、判定部１４によって通知を行なうと判定され、かつ、通知画面上の印刷を継続するためのボタンが押下されたことに応じて、印刷ジョブデータの生成を開始する。これら以外の場合、印刷ジョブ生成部１２は、印刷ジョブデータの生成を開始しない。
【００５１】
閾値設定部１６は、閾値データ１２６を設定する。ユーザーからの指示がない場合、閾値設定部１６は、予め定められたデフォルト値を示す閾値データ１２６を設定する。閾値設定部１６は、ユーザーから閾値の変更指示を受けると、変更指示に応じて値となるように閾値データ１２６を更新する。さらに、閾値設定部１６は、画像形成される文字が小さい旨の通知画面上において印刷を継続するためのボタンが押下された場合、検出部１３によって検出された小サイズ文字のサイズを示すように閾値データ１２６を更新する。
【００５２】
［対象情報と同じ情報を印刷対象ファイルから検索する手法］
次に、検出部１３によって検出された小サイズ文字で示される対象情報と同じ情報を印刷対象ファイル１２４から検索する手法について説明する。判定部１４は、小サイズ文字によって構成される文字列毎に検索を行なう。
【００５３】
（第１の検索手法）
図５は、第１の検索手法を説明する図である。図５に示されるように、判定部１４は、小サイズ文字によって構成される文字列を区切り記号によって区切ることにより、複数の第１分割単位に分割する。区切り記号は、例えば句読点およびスペースである。
【００５４】
判定部１４は、複数の第１分割単位の各々について、当該第１分割単位と同じ文字列を印刷対象ファイル１２４のテキストデータの中から検索する。
【００５５】
判定部１４は、複数の第１分割単位の全てについて、同じ文字列が印刷対象ファイル１２４のテキストデータの中に存在する場合に、対象情報と同じ情報が印刷対象ファイル１２４に存在すると決定する。
【００５６】
もしくは、判定部１４は、複数の第１分割単位のうち所定比率以上の第１分割単位について、同じ文字列が印刷対象ファイル１２４のテキストデータの中に存在する場合に、対象情報と同じ情報が印刷対象ファイル１２４に存在すると決定してもよい。所定比率は例えば５０％である。例えば、小サイズ文字によって構成される文字列が５個の第１分割単位に分割された場合、３個以上の第１分割単位と同じ文字列が印刷対象ファイル１２４のテキストデータの中に存在する場合に、対象情報と同じ情報が印刷対象ファイル１２４に存在すると決定される。
【００５７】
判定部１４は、第１分割単位と同じ文字列が印刷対象ファイル１２４のテキストデータの中に存在する場合、当該文字列を構成する各文字について設定されたサイズを確認することにより、当該文字列を構成する文字の印刷時のサイズを特定する。判定部１４は、特定したサイズと閾値とを比較する。
【００５８】
なお、条件設定部１１によって拡大縮小条件が設定されている場合、印刷時のサイズは、拡大縮小条件に従って拡大縮小されたときの文字のサイズである。そのため、判定部１４は、条件設定部１１によって設定された拡大縮小条件に対応する倍率に従って、特定したサイズを変更し、変更後のサイズと閾値とを比較すればよい。
【００５９】
特定したサイズが閾値以上である場合に、判定部１４は、対象情報と同じ情報が印刷対象ファイル１２４に存在し、かつ、対象情報と同じ情報を示す文字の印刷時のサイズが閾値以上であると判定すればよい。特定したサイズが閾値未満である場合に、判定部１４は、対象情報と同じ情報が印刷対象ファイル１２４に存在し、かつ、対象情報と同じ情報を示す文字の印刷時のサイズが閾値未満であると判定すればよい。
【００６０】
（第２の検索手法）
図６は、第２の検索手法を説明する図である。図６に示されるように、判定部１４は、小サイズ文字によって構成される文字列を文節によって区切ることにより、複数の第２分割単位（文節単位）に分割してもよい。文字列を文節単位に分割する手法としては、公知の形態素解析アルゴリズムを用いればよい。
【００６１】
第１の検索手法と同様に、判定部１４は、複数の第２分割単位の各々について、当該第２分割単位と同じ文字列を印刷対象ファイル１２４のテキストデータの中から検索する。
【００６２】
判定部１４は、複数の第２分割単位の全てについて、同じ文字列が印刷対象ファイル１２４のテキストデータの中に存在する場合に、対象情報と同じ情報が印刷対象ファイル１２４に存在すると決定する。
【００６３】
もしくは、判定部１４は、複数の第２分割単位のうち所定比率以上の第２分割単位について、同じ文字列が印刷対象ファイル１２４のテキストデータの中に存在する場合に、対象情報と同じ情報が印刷対象ファイル１２４に存在すると決定してもよい。所定比率は例えば５０％である。
【００６４】
判定部１４は、第２分割単位と同じ文字列が印刷対象ファイル１２４のテキストデータの中に存在する場合、当該文字列を構成する各文字について設定されたサイズを確認することにより、当該文字列を構成する文字の印刷時のサイズを特定する。判定部１４は、特定したサイズと閾値とを比較する。
【００６５】
なお、条件設定部１１によって拡大縮小条件が設定されている場合、印刷時のサイズは、拡大縮小条件に従って拡大縮小されたときの文字のサイズである。そのため、判定部１４は、条件設定部１１によって設定された拡大縮小条件に対応する倍率に従って、特定したサイズを変更し、変更後のサイズと閾値とを比較すればよい。
【００６６】
特定したサイズが閾値未満である場合に、判定部１４は、対象情報と同じ情報が印刷対象ファイル１２４に存在し、かつ、対象情報と同じ情報を示す文字の印刷時のサイズが閾値以上であると判定すればよい。特定したサイズが閾値未満である場合に、判定部１４は、対象情報と同じ情報が印刷対象ファイル１２４に存在し、かつ、対象情報と同じ情報を示す文字の印刷時のサイズが閾値未満であると判定すればよい。
【００６７】
上記の第１の検索手法に従った検索と第２の検索手法に従った検索とを続けて実行してもよい。具体的には、判定部１４は、最初に第１の検索手法に従った検索を行ない、対象情報と同じ情報が印刷対象ファイル１２４に存在するか否かを判定する。第１の検索手法に従った検索において対象情報と同じ情報が印刷対象ファイル１２４に存在しないと判定された場合に、判定部１４は、続けて第２の検索手法に従った検索を行なってもよい。
【００６８】
（第３の検索手法）
図７は、第３の検索手法を説明する図である。第３の検索手法は、グラフから抽出された小サイズ文字で示される対象情報と同じ情報を印刷対象ファイル１２４から検索する手法である。具体的には、対象情報と同じ情報として、グラフに対応する表を印刷対象ファイル１２４から検索する。
【００６９】
図７に示す例では、検出部１３によって、グラフデータで示されるグラフ５０の中から、小サイズ文字によって構成された、タイトル５１と凡例５２と目盛ラベル５３ａ，５３ｂとデータラベル５４とが検出されている。なお、タイトル５１は、文字列「販売数の変動」で示される。凡例５２は、３つの文字列「販売店Ａ」，「販売店Ｂ」および「販売店Ｃ」で示される。目盛ラベル５３ａは、横軸に対応し、３つの文字列「２０１６年」，「２０１７年」および「２０１８年」で示される。目盛ラベル５３ｂは、縦軸に対応し、３６つの文字列「５００」〜「０」で示される。データラベル５４は、９つの文字列「４３０」〜「１８０」で示される。
【００７０】
判定部１４は、グラフ５０に対応する表を印刷対象ファイル１２４から検索する。判定部１４は、当該表が印刷対象ファイル１２４内に存在するときに、対象情報と同じ情報が印刷対象ファイル１２４内に存在するとして決定する。
【００７１】
一般に、グラフ中の凡例、縦軸および横軸の少なくとも一方の目盛ラベル、およびデータラベルは、当該グラフに対応する表の中に含まれる。そのため、判定部１４は、グラフ５０の中から検出され、かつ、小サイズ文字によって構成された凡例５２，目盛ラベル５３ａ，５３ｂの少なくとも一方、およびデータラベル５４の各々を示す文字列を含む表を、グラフ５０に対応する表として検索する。図７に示す例では、グラフ５０における凡例５２、目盛ラベル５３ａおよびデータラベル５４の各々と同じ文字列を含む表６０が、グラフ５０に対応する表として検索される。
【００７２】
なお、グラフでは、凡例、目盛ラベルおよびデータラベルのうちのいずれかが省略され得る。このような場合、判定部１４は、凡例、目盛ラベルおよびデータラベルのうちグラフの中から検出された項目を示す文字列を含む表を、グラフ５０に対応する表として検索すればよい。
【００７３】
判定部１４は、表６０内の各文字について設定されたサイズを確認することにより、表６０内の文字の印刷時のサイズを特定する。判定部１４は、表６０内の文字の印刷時のサイズと閾値とを比較する。
【００７４】
なお、条件設定部１１によって拡大縮小条件が設定されている場合、印刷時のサイズは、拡大縮小条件に従って拡大縮小されたときの文字のサイズである。そのため、判定部１４は、条件設定部１１によって設定された拡大縮小条件に対応する倍率に従って、特定したサイズを変更し、変更後のサイズと閾値とを比較すればよい。
【００７５】
表６０内の文字の印刷時のサイズが閾値未満である場合に、判定部１４は、対象情報と同じ情報が印刷対象ファイル１２４に存在し、かつ、対象情報と同じ情報を示す文字の印刷時のサイズが閾値以上であると判定すればよい。表６０内の文字の印刷時のサイズが閾値未満である場合に、判定部１４は、対象情報と同じ情報が印刷対象ファイル１２４に存在し、かつ、対象情報と同じ情報を示す文字の印刷時のサイズが閾値未満であると判定すればよい。
【００７６】
［制御装置の制御方法の流れ］
図８および図９を参照して、制御装置１００における制御処理の流れについて説明する。図８は、制御装置における制御処理の流れの一例を示すフローチャートである。図８に示すフローチャートは、印刷指示の入力に応じて実行される。図９は、図８のステップＳ６のサブルーチンの流れを示すフローチャートである。
【００７７】
まず、制御装置１００のプロセッサー１０２は、閾値を示す閾値データ１２６を設定する（ステップＳ１）。
【００７８】
プロセッサー１０２は、印刷対象ファイル１２４の指定範囲内の文字を抽出する（ステップＳ２）。具体的には、プロセッサー１０２は、印刷対象ファイル１２４の指定範囲のテキストデータから文字を抽出する。指定範囲は、印刷対象ファイル１２４の全域であってもよいし、一部の領域であってもよい。一部の領域は、例えば先頭ページから所定ページ数分の領域である。また、印刷対象ファイル１２４が複数のセクションを含む場合、一部の領域は、複数のセクションの各々の先頭ページから所定ページ数分の領域である。
【００７９】
プロセッサー１０２は、印刷対象ファイル１２４の指定範囲内に貼り付けられた画像内の文字を抽出する（ステップＳ３）。印刷対象ファイル１２４に貼り付けられた画像は、印刷対象ファイル１２４に含まれる画像データで示される。なお、印刷対象ファイル１２４に画像データが含まれない場合、ステップＳ３は省略される。
【００８０】
プロセッサー１０２は、印刷対象ファイル１２４の指定範囲内に貼り付けられたグラフ内の文字を抽出する（ステップＳ３）。印刷対象ファイル１２４に貼り付けられたグラフは、印刷対象ファイル１２４に含まれるグラフデータで示される。なお、印刷対象ファイル１２４にグラフデータが含まれない場合、ステップＳ４は省略される。
【００８１】
次に、プロセッサー１０２は、ステップＳ２〜Ｓ４で抽出した各文字の画像形成時のサイズと閾値データ１２６で示される閾値とを比較し、閾値未満の小サイズ文字が存在するか否かを判定する（ステップＳ５）。
【００８２】
小サイズ文字が存在する場合（ステップＳ５でＹＥＳ）、プロセッサー１０２は、小サイズ文字で示される対象情報と同じ情報を印刷対象ファイル１２４から検索する（ステップＳ６）。ステップＳ６の詳細について、図９を参照して後述する。
【００８３】
プロセッサー１０２は、対象情報と同じ情報が印刷対象ファイル１２４内に存在するか否かを判定する（ステップＳ７）。対象情報と同じ情報が印刷対象ファイル１２４内に存在する場合（ステップＳ７でＹＥＳ）、プロセッサー１０２は、対象情報と同じ情報を示す文字の画像形成時のサイズが閾値以上か否かを判定する（ステップＳ８）。
【００８４】
対象情報と同じ情報が印刷対象ファイル１２４内に存在しない場合（ステップＳ７でＮＯ）または対象情報と同じ情報を示す文字の画像形成時のサイズが閾値未満である場合（ステップＳ８でＮＯ）、制御処理はステップＳ９に移る。ステップＳ９において、プロセッサー１０２は、画像形成される文字が小さい旨の通知を行なう。具体的には、プロセッサー１０２は、通知画面をディスプレイ１１０に表示させる。
【００８５】
次に、プロセッサー１０２は、印刷を継続する旨の指示を受けたか否かを判定する（ステップＳ１０）。具体的には、プロセッサー１０２は、ステップＳ９で表示される通知画面に含まれる、印刷を継続するためのボタンが押下されたか否かを判定する。
【００８６】
印刷を継続する旨の指示を受けた場合（ステップＳ１０でＹＥＳ）、プロセッサー１０２は、ステップＳ５で検出された小サイズ文字のサイズを示すように閾値データ１２６を更新する（ステップＳ１１）。印刷を継続する旨の指示を受けない場合（ステップＳ１０でＮＯ）、制御処理は終了する。
【００８７】
ステップＳ１１の後、プロセッサー１０２は、印刷対象ファイル１２４に対応する印刷ジョブデータ（印刷用のラスターデータ）を生成し、生成した印刷ジョブデータを画像形成装置２００に出力する（ステップＳ１２）。ステップＳ５でＮＯの場合、および、ステップＳ８でＹＥＳの場合も、ステップＳ１２の処理が実行される。ステップＳ１２の後、制御処理は終了する。
【００８８】
図９を参照して、ステップＳ６のサブルーチンについて説明する。プロセッサー１０２は、小サイズ文字によって構成される１つの文字列を選択する（ステップＳ２１）。
【００８９】
例えば、印刷対象ファイル１２４に含まれるテキストデータにおいて小サイズ文字が連続する塊を１つの文字列とする。印刷対象ファイル１２４が２つのセクションに分割され、２つのセクションの両方の先頭ページから小サイズ文字がそれぞれ検出された場合、小サイズ文字によって構成される文字列が２つ存在する。すなわち、２つの文字列は、第１のセクションから検出された小サイズ文字によって構成される第１の文字列と、第２のセクションから検出された小サイズ文字によって構成される第２の文字列とである。この場合、２つの文字列のうちの一方が選択される。
【００９０】
また、印刷対象ファイル１２４に画像データが含まれ、画像データで示される画像から小サイズ文字が検出された場合、当該小サイズ文字によって構成される文字列が選択される。
【００９１】
さらに、印刷対象ファイル１２４にグラフデータが含まれ、グラフデータで示されるグラフから小サイズ文字が検出された場合、当該小サイズ文字によって構成される文字列が選択される。グラフ内の小サイズ文字によって構成される文字列は、グラフタイトル、軸ラベル、目盛ラベル、凡例、データラベルなどである。
【００９２】
小サイズ文字によって構成される文字列が複数存在する場合には、当該複数の文字列のうちの１つが任意に選択される。
【００９３】
プロセッサー１０２は、選択した文字列がグラフ内であるか否かを判定する（ステップＳ２２）。選択した文字列がグラフ内である場合（ステップＳ２２でＹＥＳ）、プロセッサー１０２は、グラフに対応する表を印刷対象ファイル１２４から検索する（ステップＳ２３）。プロセッサー１０２は、グラフに対応する表が印刷対象ファイル１２４に存在するか否かを判定する（ステップＳ２４）。グラフに対応する表が印刷対象ファイル１２４に存在する場合（ステップＳ２４でＹＥＳ）、制御処理はステップＳ３１に移る。グラフに対応する表が印刷対象ファイル１２４に存在しない場合（ステップＳ２４でＮＯ）、制御処理はステップＳ３２に移る。
【００９４】
選択した文字列がグラフ内でない場合（ステップＳ２２でＮＯ）、プロセッサー１０２は、当該文字列を区切り記号に従って複数の第１分割単位に分割する（ステップＳ２５）。プロセッサー１０２は、複数の第１分割単位の各々について、当該第１分割単位と同じ文字列を印刷対象ファイル１２４内から検索する（ステップＳ２６）。プロセッサー１０２は、複数の第１分割単位の全てについて、同じ文字列が印刷対象ファイル１２４に存在するか否かを判定する（ステップＳ２７）。複数の第１分割単位の全てについて同じ文字列が印刷対象ファイル１２４に存在する場合（ステップＳ２７でＹＥＳ）、制御処理はステップＳ３１に移る。複数の第１分割単位の全てについて同じ文字列が印刷対象ファイル１２４に存在しない場合（ステップＳ２７でＮＯ）、制御処理はステップＳ２８に移る。
【００９５】
ステップＳ２８において、プロセッサー１０２は、選択した文字列を第２分割単位（文節単位）に分割する。プロセッサー１０２は、複数の第２分割単位の各々について、当該第２分割単位と同じ文字列を印刷対象ファイル１２４内から検索する（ステップＳ２９）。プロセッサー１０２は、複数の第２分割単位のうち所定比率以上の第２分割単位について、同じ文字列が印刷対象ファイル１２４に存在するか否かを判定する（ステップＳ３０）。複数の第２分割単位のうち所定比率以上の第２分割単位について同じ文字列が印刷対象ファイル１２４に存在する場合（ステップＳ３０でＹＥＳ）、制御処理はステップＳ３１に移る。複数の第２分割単位のうち所定比率以上の第２分割単位について同じ文字列が印刷対象ファイル１２４に存在しない場合（ステップＳ３０でＮＯ）、制御処理はステップＳ３２に移る。
【００９６】
ステップＳ３１において、プロセッサー１０２は、検索結果を記録する。すなわち、ステップＳ２４でＹＥＳの場合、プロセッサー１０２は、小サイズ文字で示される対象情報と同じ情報として、グラフに対応する表を記録する。ステップＳ２７でＹＥＳの場合、プロセッサー１０２は、小サイズ文字で示される対象情報と同じ情報として、複数の第１分割単位の各々と同じ文字列を記録する。ステップＳ３０でＹＥＳの場合、プロセッサー１０２は、小サイズ文字で示される対象情報と同じ情報として、複数の第２分割単位のうちの所定比率以上の第２分割単位の各々と同じ文字列を記録する。
【００９７】
次に、プロセッサー１０２は、未選択の文字列があるか否かを判定する（ステップＳ３２）。未選択の文字列がある場合（ステップＳ３２でＹＥＳ）、制御処理はステップＳ２１に戻る。
【００９８】
未選択の文字列がない場合（ステップＳ３２でＮＯ）、制御処理は、図８に示すステップＳ７に移る。ステップＳ７では、ステップＳ３１において対象情報と同じ情報が記録されている場合に、対象情報と同じ情報が印刷対象ファイル１２４内に存在すると判定する。なお、小サイズ文字によって構成される文字列が複数存在する場合、当該複数の文字列の全てについて、ステップＳ３１において対象情報と同じ情報が記録されている場合に、対象情報と同じ情報が印刷対象ファイル１２４内に存在すると判定する。
【００９９】
［利点］
以上のように、画像形成装置２００を制御する制御装置１００は、検出部１３と、判定部１４と、通知部１５とを備える。検出部１３は、印刷対象ファイル１２４に対して、画像形成時のサイズが予め設定された閾値未満である小サイズ文字を検出する検出処理を実行する。判定部１４は、検出部１３の検出結果に応じて、画像形成される文字が小さい旨の通知を行なうか否かを判定する。通知部１５は、判定部１４の判定結果に応じて上記の通知を行なう。判定部１４は、小サイズ文字が検出された場合に、小サイズ文字で示される対象情報と同じ情報を印刷対象ファイル１２４から検索する。対象情報と同じ情報が印刷対象ファイル１２４に存在し、かつ、対象情報と同じ情報を示す文字の画像形成時のサイズが閾値以上であるときに、判定部１４は、上記の通知を行なわないと判定する。
【０１００】
対象情報と同じ情報を示す文字の画像形成時のサイズが閾値以上である場合、対象情報を示す文字が小さくても大きな問題にならない。また、対象情報を示す文字は、本文の要約として、意図的に小さいサイズで作成されている可能性が高い。上記の構成によれば、対象情報と同じ情報が印刷対象ファイル１２４に存在し、かつ、対象情報と同じ情報を示す文字の画像形成時のサイズが閾値以上であるときには、画像形成される文字が小さい旨の通知が行なわれない。これにより、ユーザーに対する不要な通知を抑制でき、ユーザーの利便性が向上する。
【０１０１】
制御装置１００は、閾値を設定するための閾値設定部１６をさらに備えてもよい。判定部１４は、対象情報と同じ情報が印刷対象ファイル１２４に存在しないときに上記の通知を行なうと判定する。また、判定部１４は、対象情報と同じ情報が印刷対象ファイル１２４に存在し、かつ、対象情報と同じ情報を示す文字のサイズが閾値未満であるときに、上記の通知を行なうと判定する。閾値設定部は、上記の通知が行なわれた後に画像形成を継続する旨の指示を受けたことに応じて、閾値を小サイズ文字のサイズに更新してもよい。
【０１０２】
上記の通知を受けた後に画像形成を継続する旨の指示を受けた場合、ユーザーは、小サイズ文字の画像形成を許可している。そのため、同じサイズの文字が検出されたときに再度通知が行なわれると、ユーザーの利便性が低下する。しかしながら、上記の構成によれば、通知を受けた後に画像形成を継続する旨の指示を受けた場合に、閾値が小サイズ文字のサイズに更新される。これにより、今後同じサイズの文字が検出された場合であっても、通知が行なわれない。その結果、ユーザーに対する不要な通知を抑制でき、ユーザーの利便性がさらに向上する。
【０１０３】
判定部１４は、小サイズ文字によって構成される文字列を複数の分割単位（第１分割単位または第２分割単位）に分割してもよい。判定部１４は、複数の分割単位の各々について、当該分割単位と同じ文字列を印刷対象ファイル１２４から検索し、検索結果に応じて、対象情報と同じ情報が印刷対象ファイル１２４に存在するか否かを決定してもよい。
【０１０４】
本文の要約は、通常、本文の語順を適宜変更することにより作成される。上記の構成によれば、本文の語順を適宜変更することにより、小サイズ文字によって構成された要約を意図的に作成した場合であっても、小サイズ文字で示される対象情報と同じ情報が印刷対象ファイル１２４に存在すると決定できる。
【０１０５】
判定部１４は、複数の分割単位のうち所定比率以上の分割単位と同じ文字列が印刷対象ファイル１２４に存在する場合に、対象情報と同じ情報が印刷対象ファイル１２４に存在すると決定してもよい。
【０１０６】
本文の要約は、通常、本文の一部を省略することにより作成される。上記の構成によれば、本文の一部を省略することにより、小サイズ文字によって構成された要約文を意図的に作成した場合であっても、小サイズ文字で示される対象情報と同じ情報が印刷対象ファイル１２４に存在すると決定できる。
【０１０７】
分割単位は、例えば、区切り記号で区切られた単位、または、文節である。これにより、文字列を容易に分割単位に分割できる。
【０１０８】
印刷対象ファイル１２４は、画像データを含んでもよい。検出部１３は、画像データで示される画像から文字領域を分離し、文字領域に対して文字認識を行なうことにより文字を抽出すればよい。そして、検出部１３は、文字領域のサイズに基づいて、画像から抽出された文字のサイズが閾値未満であるか否かを判定すればよい。これにより、画像の小サイズ文字についても検出することができる。
【０１０９】
検出部１３は、印刷対象ファイル１２４のうちの一部の領域に対してのみ検出処理を実行してもよい。これにより、印刷対象ファイル１２４の全領域に対して検出処理を実行する場合に比べて、検出部１３による処理の負荷を低減できる。
【０１１０】
一部の領域は、例えば、印刷対象ファイル１２４の先頭ページから所定ページ数分の領域である。一部の領域は、印刷対象ファイル１２４に含まれる複数のセクションの各々の先頭ページから所定ページ数分の領域であってもよい。
【０１１１】
通常、要約は、冒頭部分（複数のセクションが存在する場合には、各セクションの冒頭部分）に記載される。上記の構成によれば、要約が記載される可能性の高い領域に対して効率的に検出処理を実行することができる。
【０１１２】
制御装置１００は、画像形成時の拡大縮小条件を設定する条件設定部１１をさらに備えてもよい。画像形成時のサイズは、拡大縮小条件に従って拡大縮小されたときの文字のサイズである。これにより、検出部１３および判定部１４は、拡大縮小条件に応じたサイズを用いて適切に検出処理および判定処理をそれぞれ実行できる。
【０１１３】
印刷対象ファイル１２４はグラフデータを含んでもよい。グラフデータで示されるグラフ内に小サイズ文字が検出された場合、判定部１４は、グラフに対応する表を印刷対象ファイル１２４から検索してもよい。そして、判定部１４は、当該表が印刷対象ファイル１２４に存在するときに、対象情報と同じ情報が印刷対象ファイル１２４に存在すると決定してもよい。
【０１１４】
通常、グラフは、表に基づいて作成される。グラフに対応する表が印刷対象ファイル１２４に存在する場合、グラフ内の文字が小さくても、表を確認することによりグラフの内容を把握できる。上記の構成によれば、グラフに対応する表が印刷対象ファイル１２４に存在し、かつ、表を示す文字の画像形成時のサイズが閾値以上である場合には、グラフ内の文字が小さくでも、画像形成される文字が小さい旨の通知が行なわれない。これにより、ユーザーに対する不要な通知を抑制でき、ユーザーの利便性が向上する。
【０１１５】
［変形例１］
上記の説明では、印刷対象ファイル１２４は、文書作成プログラム１２２によって作成される。しかしながら、印刷対象ファイル１２４を作成するアプリケーションは、文書作成プログラム１２２に限定されず、表作成プログラム（例えばマイクロソフト社製のＭｉｃｒｏｓｏｆｔ  Ｅｘｃｅｌ（登録商標））などの各種プログラムによって作成されてもよい。また、印刷対象ファイル１２４は、例えばＰＤＦ形式であってもよい。
【０１１６】
［変形例２］
上記の制御装置１００は、画像形成装置２００に備えられていてもよい。すなわち、上記の検出部１３、判定部１４、通知部１５および閾値設定部１６は、画像形成装置２００に備えられていてもよい。例えば、画像形成装置２００に備えられる制御装置は、記録媒体インターフェイス２５（図３参照）を介して記録媒体から読み出した印刷対象ファイル（例えばＰＤＦ形式のファイル）に対して、上記と同様の制御処理を行なってもよい。
【０１１７】
今回開示された実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。
【符号の説明】
【０１１８】
１  ネットワークシステム、１１  条件設定部、１２  印刷ジョブ生成部、１３  検出部、１４  判定部、１５  通知部、１６  閾値設定部、２０  スキャナー装置、２０ａ  原稿載置台、２０ｂ  読取部、２１  表示装置、２１ａ  操作パネル、２２  画像処理装置、２２ａ  画像編集部、２２ｂ  画像記憶部、２３  印刷装置、２３ａ  印刷部、２３ｂ  給紙カセット、２３ｃ  ステープル部、２４  ネットワークインターフェイス、２５  記録媒体インターフェイス、２６  制御部、２６ａ  ＣＰＵ、２６ｂ，１０４  ＲＯＭ、２６ｃ，１０６  ＲＡＭ、２７  バス、５０  グラフ、５１  タイトル、５２  凡例、５３ａ，５３ｂ  目盛ラベル、５４  データラベル、１００  制御装置、１０２  プロセッサー、１０８  記憶装置、１１０  ディスプレイ、１１２  入力部、１１４  通信Ｉ／Ｆ、１１６  リーダー／ライター、１１８  記録媒体、１２０  制御プログラム、１２２  文書作成プログラム、１２４  印刷対象ファイル、１２６  閾値データ、２００  画像形成装置、３００  ネットワーク。
【図１】
2020197958.tif 000003
【図２】
2020197958.tif 000004
【図３】
2020197958.tif 000005
【図４】
2020197958.tif 000006
【図５】
2020197958.tif 000007
【図６】
2020197958.tif 000008
【図７】
2020197958.tif 000009
【図８】
2020197958.tif 000010
【図９】
2020197958.tif 000011